(57)【特許請求の範囲】
【請求項１】
防災端末の発報を検知して所定の防災処理を行う防災受信機において、
当該防災受信機に供給される通常電源の停電を監視する停電監視手段と、
前記停電監視手段によって前記通常電源が停電したと判断された場合に、当該停電の旨を間欠的に出力するための所定の処理を行う停電報知手段とを備え、
前記停電報知手段は、少なくとも、所定の音声出力手段による出力に連続して、所定の表示手段による表示を行う、
防災受信機。
【請求項２】
前記停電報知手段は、
前記音声出力手段による出力を開始させると同時に、前記表示手段による表示を開始させ、
前記音声出力手段による出力を終了させた後、所定時間が経過するまで前記表示手段による表示を継続させる、
請求項１に記載の防災受信機。
【請求項３】
前記停電報知手段は、
前記音声出力手段による出力を開始させ、
前記音声出力手段による出力を終了させると同時に、前記表示手段による表示を開始させる、
請求項１に記載の防災受信機。
【請求項４】
前記停電報知手段は、
前記表示手段による表示を複数回に分割して行わせる、
請求項３に記載の防災受信機。
【発明の詳細な説明】
【０００１】
【発明の属する技術分野】
本発明は、火災感知器やガス漏れ検知器等からの信号を受信して移報等を行うための防災受信機に関し、特に、予備電源を内蔵し、停電時に通常電源から予備電源への切替えを行い火災等の監視を継続する、防災受信機に関する。
【０００２】
【従来の技術】
オフィスビルや工場等において、火災発生やガス漏れの有無を検出して警報を発する防災システムが広く利用されている。このような防災システムは、火災感知器やガス漏れ検知器等の防災端末と、この防災端末からの信号を受信して火災発生の警報出力や移報出力等を行う防災受信機とを備えて構成されている。
【０００３】
このような防災システムにおいては、何らかの原因によって停電があった場合であっても、防災の監視を継続できることが望ましい。このため、防災受信機の内部に予備電源を設け、停電検出時には、通常電源を予備電源に切替えて防災監視を継続する方式が提案されている。
【０００４】
このような防災受信機においては、防災システムの管理人に停電である旨を知らせるため、停電である旨の出力を行っている。
具体的には、筐体の前面に設けた電源灯を通常時とは異なる色で点灯させたり、停電監視中（予備電源動作中）である旨を盤面の操作パネルに継続的に表示させていた。
また、近年では、操作性や視認性を向上させるため、７セグメント表示器や液晶画面を用いて、停電である旨を示す所定のエラーコードを継続的に表示すると共に、停電である旨を報知する合成音声を継続的に出力していた。
【０００５】
【発明が解決しようとする課題】
ここで、このような従来の防災受信機においては、表示や音声出力を単に継続的に行っていたので、予備電源を多量に消費してしまうという問題があった。したがって、停電監視できる時間が短くなったり、停電監視できる時間を長くするために大容量の予備電源が必要になって装置コストを上昇させるという問題があった。
【０００６】
本発明は上記問題に鑑みてなされたもので、停電の旨を間欠的に出力すること等により、停電監視時の消費電力を低減すること等のできる、防災受信機を提供することを目的としている。
【０００７】
【課題を解決するための手段】
上述した課題を解決し、目的を達成するために、請求項１に記載の防災受信機は、防災端末の発報を検知して所定の防災処理を行う防災受信機において、当該防災受信機に供給される通常電源の停電を監視する停電監視手段と、前記停電監視手段によって前記通常電源が停電したと判断された場合に、当該停電の旨を間欠的に出力するための所定の処理を行う停電報知手段とを備え、前記停電報知手段は、少なくとも、所定の音声出力手段による出力に連続して、所定の表示手段による表示を行う。
【０００８】
また、請求項２に記載の防災受信機は、請求項１に記載の防災受信機において、前記停電報知手段は、前記音声出力手段による出力を開始させると同時に、前記表示手段による表示を開始させ、前記音声出力手段による出力を終了させた後、所定時間が経過するまで前記表示手段による表示を継続させる。
【０００９】
また、請求項３に記載の防災受信機は、請求項１に記載の防災受信機において、前記停電報知手段は、前記音声出力手段による出力を開始させ、前記音声出力手段による出力を終了させると同時に、前記表示手段による表示を開始させる。
【００１０】
また、請求項４に記載の防災受信機は、請求項３に記載の防災受信機において、前記停電報知手段は、前記表示手段による表示を複数回に分割して行わせる。
【００１１】
この請求項１に記載の防災受信機によれば、通常電源が停電したと判断された場合に、当該停電の旨を間欠的に出力するための所定の処理が行われる。したがって、従来のように単に継続的に出力している場合に比べて、消費電力を低減することができ、停電監視が可能な時間を増やすことができ、あるいは、予備電源を小容量化することができて装置コストを低減させることができる。
また、これは停電の旨の出力形態を一層具体的に示すものである。この防災受信機によれば、停電の旨が音声出力され、さらに連続して表示出力される。したがって、例えば、防災受信機の管理者が、防災受信機を見ていない場合であっても、音声を聞くことで注意を喚起されて防災受信機を見た場合に、表示が行われているのでこれを見ることができ、次の出力まで待機することなく、停電した旨を迅速に確認することができる。
【００１７】
【発明の実施の形態】
以下に、本発明に係る防災受信機の実施の形態を図面に基づいて詳細に説明する。なお、この実施の形態によりこの発明が限定されるものではない。特に、以下の実施の形態においては、本発明をＲ型の防災受信機に適用した例を示すが、回線毎に信号線が引き出され、この回線に接続された防災端末の接点の開閉に基づいて発報を受けるＰ型の防災受信機に対しても、本発明を同様に適用することができる。
【００１８】
〔実施の形態１〕
最初に、本発明の実施の形態１について説明する。
まず、本実施の形態に係る防災受信機の特徴について概説し、その後、防災受信機の構成と処理について説明する。図１は本実施の形態に係る防災受信機の要部構成を示すブロック図である。
この図１において、防災受信機１００は、各警戒地区に配置された防災端末２００からの信号を受信して火災発生の警報出力や所定の外部監視盤への移報出力等を行う防災受信手段である。
【００１９】
この防災受信機１００の主たる特徴は、下記の通りである。
すなわち、当該防災受信機１００に供給されている通常電源が停電した際には、防災受信機１００の内部に設けられている後述する予備電源１８１への切替えが行われ、停電監視状態になる。この場合、当該防災受信機１００の管理人に停電である旨を知らせるため、表示出力と合成音声出力とを行う。
【００２０】
ここで、表示出力と合成音声出力は、所定間隔で間欠的に行われる。したがって、従来のように単に継続的に出力している場合に比べて、消費電力を低減することができる。
また、合成音声出力に連続して表示出力が行われる。すなわち、合成音声出力が終了した直後、しばらく表示出力が継続される。したがって、例えば、管理者が、防災受信機１００を見ていない場合であっても、音声を聞くことで注意を喚起されて防災受信機１００を見た場合に、表示が行われているのでこれを見ることができ、次の出力まで待機することなく、停電した旨を迅速に確認することができる。
なお、この他にも本防災受信機１００は種々の特徴を有するが、その内容については以下の説明で明らかにする。
【００２１】
〔防災受信機１００の構成〕
次に、防災受信機１００の構成について説明する。
図１は本実施の形態に係る防災受信機１００の要部構成を示すブロック図、図２は図１の防災受信機１００の正面図である。
図１に示すように、防災受信機１００は、伝送制御部１１０、操作部１２０、表示部１３０、記憶部１４０、主音響部１５０、地区音響制御部１６０、防排煙制御部１７０、電源部１８０、および、制御部１９０を備えて構成されている。
【００２２】
このうち、伝送制御部１１０は、防災端末２００との間の伝送制御を行う伝送制御手段である。この伝送制御部１１０には、図示のように、伝送路１１１を介して、火災感知器やガス漏れ検知器等の防災端末２００、あるいは、これら防災端末２００への中継伝送を行う中継器２１０が接続されている。そして、伝送制御部１１０を介して送信された各種のコマンドに基づいて、防災端末２００に対するポーリング／セレクティング等が行われる。
【００２３】
また、操作部１２０は、当該防災受信機１００に対する各種の操作を行うための操作手段である。
【００２４】
また、図１において、表示部１３０は、操作者に対して各種の情報を表示するための表示手段である。具体的には、表示部１３０は、図２に示すように、各警戒地区における異常状態を示す地区表示灯１３１、各種数値を示すセグメント表示器１３２等を備えて構成されている。特に、本実施の形態において、セグメント表示器１３２は、停電時に当該停電の旨を報知する所定のエラーコードを表示する表示手段である。
また、地区表示灯１３１には、防災端末２００がそれぞれ割当てられており、防災端末２００が火災等の異常を検出した場合には、防災受信機１００が異常信号を受け、異常を検出した防災端末２００に対応する地区表示灯１３１が点灯して、警報の発生場所を表示する。
【００２５】
また、図１において、記憶部１４０は、当該防災受信機１００の制御を行うための各種のプログラムおよびデータや、各防災端末２００から取得された各種のデータを記憶するための記憶手段である。特に、本実施の形態において、記憶部１４０は、後述する停電報知処理における各種のパラメータを記憶する。
【００２６】
また、主音響部１５０は、当該防災受信機１００において各種の警報音を出力するための主音響手段であり、特に、本実施の形態においては、停電時に当該停電の旨を報知する所定の合成音声を出力する音声出力手段である。具体的には、主音響部１５０は、スピーカ等にて構成され、図２に示す音響孔１５１の近傍奥部に配置されている。
【００２７】
また、図１において、地区音響制御部１６０は、当該防災受信機１００の外部の音響機器を制御するための地区音響制御手段である。例えば、地区音響制御部１６０には、伝送路１６１を介して、各警戒地区に配置した非常ベル３００が接続されており、これら非常ベル３００の鳴動が地区音響制御部１６０にて制御される。
【００２８】
また、防排煙制御部１７０は、防排煙設備を制御するための防排煙制御手段である。例えば、防排煙制御部１７０には、伝送路１７１を介して、各警戒地区において防火ドアの自動開閉を行うためのレリーズ４００が接続されており、このレリーズ４００が防排煙制御部１７０にて制御される。
【００２９】
また、電源部１８０は、当該防災受信機１００の各部に電源を供給するための電源手段である。この電源部１８０は、停電時に電源を供給する予備電源（バッテリー）１８１と、通常電源と予備電源１８１の切替えを行う切替器１８２を備えて構成されている。なお、実際には、予備電源１８１や切替器１８２の前段に、交流電流を直流電流に変換する変換部を備えているが、この変換部についての図示は省略する。また、電源部１８０は、通常電源時には、予備電源１８１の充電を行う。
【００３０】
そして、制御部１９０は、これら防災受信機１００の各部を制御するための制御手段であり、例えば、記憶部１４０に記憶された制御プログラムを解釈実行するＣＰＵ(Central Processing Unit)として構成されている。
【００３１】
この制御部１９０は、機能概念的に、停電監視部１９１および停電報知部１９２を備えて構成されている。
このうち、停電監視部１９１は、通常電源の停電を監視し、停電発生時には切替器１８２を制御して、通常電源を予備電源１８１に切替える停電監視手段である。
また、停電報知部１９２は、停電監視部１９１によって通常電源が停電したと判断された場合に、当該停電の旨を間欠的に出力するための所定の処理を行う停電報知手段である。
これら各部にて行われる処理の具体的内容については後述する。
【００３２】
〔防災受信機１００における停電報知処理〕
次に、防災受信機１００における停電報知処理の内容について説明する。図３は、停電報知処理のフローチャートである。
まず、停電監視部１９１は、通常電源の停電を監視し、停電が発生したと判断した場合には、切替器１８２を制御して、電源を通常電源から予備電源１８１に切替える。
【００３３】
一方、停電報知部１９２は、停電監視部１９１による判断結果（予備電源１８１への切替えの有無）を監視しており（ステップＳＡ−１）、停電が発生した場合（予備電源１８１への切替えが行われた場合）には、パラメータｔを０に初期化した後、パラメータｔを経過時間に応じて増分させる（ステップＳＡ−２）。
【００３４】
そして、このパラメータｔが、所定の出力周期ｔ３に達した場合（ステップＳＡ−３）、停電報知部１９２は、停電が発生した旨の所定の合成音声を主音響部１５０を介して所定時間ｔ１だけ出力すると共に、停電が発生した旨の所定のエラーコードをセグメント表示器１３２を介して所定時間ｔ２だけ出力する（ステップＳＡ−４）。
以降、停電が終了（通常電源が所定電圧まで復帰した時、切替器１８２を切替えて、電源を予備電源１８１から通常電源へ復帰）したと判断される迄（ステップＳＡ−５）、ステップＳＡ−２〜ＳＡ−５が繰り返される。そして、停電終了の判断結果が検知された時点で、本処理が終了する。
【００３５】
ここで、上記のように行われる音声出力および表示出力の間隔等について説明する。図４は音声出力および表示出力のタイミングチャートである。この図４に示すように、停電報知部１９２は、合成音声出力を所定時間ｔ１で間欠的に行うと共に、表示出力を所定時間ｔ２で間欠的に行う。また全体としては、各出力を出力周期ｔ３で繰り返し行う。このように出力を間欠的に行う結果、従来のように継続的な出力を行う場合に比べて、消費電力を低減することができる。
【００３６】
さて、これら合成音声出力および表示出力はそれぞれ間欠的なものである限りにおいて、任意の間隔および周期で出力することができるが、図４のタイミングにおいては、合成音声出力と表示出力とを同時に開始すると共に、表示出力の出力時間ｔ２を合成音声出力の出力時間ｔ１より大きく設定している（すなわち、ｔ２＞ｔ１）。このことにより、合成音声出力に連続して表示出力が行われる。
すなわち、合成音声出力が終了した後においても、しばらく表示出力が継続される。例えば、管理者が、防災受信機１００を見ていない場合であっても、音声を聞くことで注意を喚起されて防災受信機１００を見た場合に、表示が行われているのでこれを見ることができ、次の出力まで待機することなく、停電した旨を迅速に確認することができる。
【００３７】
また、その他にも、図５に示すように、合成音声出力が終了すると同時に表示出力を開始してもよい。この場合は、表示出力の時間ｔ２を図４の表示出力ｔ２よりも短くしてもよい。あるいは、図６に示すように、１回の出力周期内における表示出力を、複数回に分割して行ってもよい。
すなわち、少なくとも合成音声出力に連続して表示出力を行うことにより、管理者に、停電した旨を迅速に確認してもらうことができる。
【００３８】
これまで説明した実施の形態１によれば、停電の旨が間欠的に出力されるので、従来のように単に継続的に出力している場合に比べて、消費電力を低減することができる。
【００３９】
〔実施の形態２〕
次に、本発明の実施の形態２について説明する。ただし、特に説明なき構成および処理については実施の形態１と同様であるとし、また、実施の形態１とほぼ同一の機能を有する構成要素を同一の符号を付して説明する。
本実施の形態は、概略的に、通常電源が停電したと判断された後の経過時間に応じて、停電の旨の出力間隔を変更する防災受信機に関するものである。
【００４０】
〔防災受信機１００の構成〕
まず、防災受信機１００の構成について説明する。図７は本実施の形態に係る防災受信機１００の要部構成を示すブロック図である。本実施の形態において、制御部１９０には、予備電源監視部１９３が設けられている。この予備電源監視部１９３は、停電監視部１９１によって通常電源が停電したと判断された後、通常電源が停電したと判断された後の経過時間に基づいて、予備電源１８１の残量を予測する予備電源監視手段である。
【００４１】
〔防災受信機１００における停電報知処理〕
次に、防災受信機１００における停電報知処理の内容について説明する。図８は、停電報知処理のフローチャートである。
停電報知部１９２は、停電監視部１９１による判断結果を監視しており（ステップＳＢ−１）、停電が発生した場合には、パラメータＴを０に初期化した後、このパラメータＴを経過時間に応じて増分させる（ステップＳＢ−２）。また、停電報知部１９２は、パラメータｔを０に初期化した後、このパラメータｔを経過時間に応じて増分させる（ステップＳＢ−３）。
【００４２】
そして、このパラメータｔが、所定の出力周期ｔ３に達した場合に（ステップＳＢ−４）、停電報知部１９２は、停電が発生した旨の所定の合成音声を所定時間ｔ１だけ出力すると共に、停電が発生した旨の所定のエラーコードを所定時間ｔ２だけ出力する（ステップＳＢ−５）。
以降、停電が終了（予備電源１８１から通常電源へ復帰）したと判断される迄（ステップＳＢ−６）、ステップＳＢ−３〜ＳＢ−６が繰り返される。そして、停電終了の判断結果が検知された時点で、本処理が終了する。
【００４３】
ここで、予備電源監視部１９３は、パラメータＴが所定時間ｔ４以上になったか否かを定期的に監視する（ステップＳＢ−７）。ここで、パラメータＴは、通常電源が停電したと判断された後の経過時間を示しており、所定時間ｔ４には、予備電源１８１の残量が少なくなったと予測され得る放電時間が設定されている。
【００４４】
そして、予備電源監視部１９３は、パラメータＴが所定時間ｔ４以上になった場合に、予備電源１８１の残量が少なくなったと予測する。
このように予測された場合、停電報知部１９２は、停電の旨の出力間隔を延ばすため、パラメータｔ３に、所定時間ｔ５（＞ｔ３）を設定する。これにより、その後のステップＳＢ−３〜ＳＢ−６の繰り返し処理において、最初の出力間隔ｔ３よりも長い間隔ｔ５で停電の旨が出力されるので、消費電力を一層低減することができる。
【００４５】
これまで説明した実施の形態２によれば、通常電源が停電したと判断された後の経過時間に応じて、停電の旨の出力間隔が変更されるので、例えば、経過時間が所定時間以上になり、予備電源１８１の残量が少なくなったと予測され得る場合には、停電の旨の出力間隔を延ばして、消費電力を一層低減することができる。
【００４６】
〔実施の形態３〕
次に、本発明の実施の形態３について説明する。ただし、特に説明なき構成および処理については実施の形態２と同様であるとし、また、実施の形態２とほぼ同一の機能を有する構成要素を同一の符号を付して説明する。
本実施の形態は、概略的に、予備電源の残量に応じて、停電の旨の出力内容を変更する防災受信機に関するものである。
【００４７】
〔防災受信機１００の構成〕
まず、防災受信機１００の構成について説明する。本実施の形態において、制御部１９０の予備電源監視部１９３は、通常電源が停電した場合に当該通常電源から切替えられる予備電源１８１の残量を計測する予備電源監視手段である。
【００４８】
〔防災受信機１００における停電報知処理〕
次に、防災受信機１００における停電報知処理の内容について説明する。図９は、停電報知処理のフローチャートである。
まず、停電報知部１９２は、停電監視部１９１による判断結果を監視しており（ステップＳＣ−１）、停電が発生した場合には、Flagを０に初期化した後（ステップＳＣ−２）、パラメータｔを０に初期化して、このパラメータｔを経過時間に応じて増分させる（ステップＳＣ−３）。
【００４９】
そして、このパラメータｔが、所定の出力周期ｔ３に達した場合（ステップＳＣ−４）、停電報知部１９２は、Flagが０か否かを判断し（ステップＳＣ−５）、０である場合には、停電が発生した旨の所定の合成音声を主音響部１５０を介して所定時間ｔ１だけ出力すると共に、停電が発生した旨の所定のエラーコードをセグメント表示器１３２を介して所定時間ｔ２だけ出力する（ステップＳＣ−６）。
以降、停電が終了（予備電源１８１から通常電源へ復帰）したと判断される迄（ステップＳＣ−７）、ステップＳＣ−３〜ＳＣ−７が繰り返される。そして、停電終了の判断結果が検知された時点で、本処理が終了する。
【００５０】
ここで、予備電源監視部１９３は、予備電源１８１の残量を定期的に監視する（ステップＳＣ−８）。この具体的な監視形態は任意であるが、例えば、予備電源１８１の電圧Ｖを公知の電圧計等と同様に取得して、この電圧Ｖが所定電圧Ｖ１以下になった場合には、予備電源１８１の残量が所定残量以下になったものと判断する。
このように予備電源１８１の残量が所定残量以下になったものと判断された場合、停電報知部１９２は、停電の旨の出力内容を変更するため、Flagに１を設定する（ステップＳＣ−９）。このFlagは、予備電源１８１の残量が所定残量以下になったか否かを示す識別子であり、その後のステップＳＣ−５においてFlagが０でない（１である）と判断されることにより、表示出力のみが間欠的に行われ（ステップＳＣ−１０）、合成音声の出力が省略されるので、消費電力を一層低減することができる。
【００５１】
これまで説明した実施の形態３によれば、予備電源１８１の残量に応じて、停電の旨の出力内容が変更されるので、例えば、予備電源１８１の残量が少なくなったと予測され得る場合には、合成音声出力を停止して表示出力のみを行うことにより、消費電力を一層低減することができる。
【００５２】
〔他の実施の形態〕
さて、これまで本発明の実施の形態について説明したが、本発明は、上述した実施の形態以外にも、上記特許請求の範囲に記載した技術的思想の範囲内において種々の異なる実施の形態にて実施されてよいものである。
【００５３】
例えば、実施の形態２においては、停電後に所定時間以上経過した場合に、出力間隔を変更しているが、この場合に、実施の形態３に示すように出力内容の変更を行ってもよい。また、逆に、実施の形態３においては、予備電源１８１の残量が所定量以下になった場合に、出力内容を変更しているが、この場合に、実施の形態２に示すように出力間隔の変更を行ってもよい。あるいは、出力内容の変更と出力間隔の変更を同時に行ってもよい。また、予備電源１８１による駆動時間が長い場合は、新たに予備電源の電源容量が少なくなっている旨の音声メッセージや表示に切替えたり、混ぜ合わせるようにしてもよい。
【００５４】
また、表示出力形態としては、セグメント表示器１３２以外に、任意の出力装置を用いることができ、例えば、液晶画面を備える防災受信機においては、この液晶画面において、停電発生の旨のメッセージ表示を行ったり、予備電源１８１の残量を表示してもよい。
また、Ｐ型のような地区窓方式（各警戒地区に対応するＬＥＤを設け、各警戒地区における異常の有無等を当該対応するＬＥＤの点灯等にて表示する方法）を採用している防災受信機においては、液晶画面やセグメント表示器を設けていないことが多いので、これら地区窓や他の表示部に設けたＬＥＤを点灯または点滅等させることによって、停電の旨の表示を行ってもよい。
【００５５】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
この他、上記文書中や図面中で示した処理手順、制御手順、具体的名称、各種のデータやパラメータを含む情報については、特記する場合を除いて任意に変更することができる。
【００５６】
また、図示した各装置の各構成要素は機能概念的なものであり、必ずしも物理的に図示の如く構成されていることを要しない。
例えば、防災受信機１００の分散・統合の具体的形態は図示のものに限られず、その全部または一部を、各種の負荷等に応じた任意の単位で、機能的または物理的に分散・統合して構成することができる。
また、防災受信機１００における処理機能、特に制御部１９０にて行なわれる各処理機能は、その全部または任意の一部が、ＣＰＵおよび当該ＣＰＵにて解析実行されるプログラムにて実現され、あるいは、ワイヤードロジックによるハードウェアとして実現される。
【００５７】
また、このコンピュータプログラムは、防災受信機１００に対して任意のネットワークを介して接続されたアプリケーションプログラムサーバから、その全部または一部をダウンロードすることも可能である。
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Operating System）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【００５８】
【発明の効果】
以上に説明したように、本発明によれば、通常電源が停電したと判断された場合に、当該停電の旨を間欠的に出力するための所定の処理が行われる。したがって、従来のように単に継続的に出力している場合に比べて、消費電力を低減することができ、停電監視が可能な時間を増やすことができ、あるいは、予備電源を小容量化することができて装置コストを低減させることができる。
【００５９】
また、本発明によれば、停電の旨が音声出力され、さらに連続して表示出力される。したがって、例えば、防災受信機の管理者が、防災受信機を見ていない場合であっても、音声を聞くことで注意を喚起されて防災受信機を見た場合に、表示が行われているのでこれを見ることができ、次の出力まで待機することなく、停電した旨を迅速に確認することができる。
【００６０】
また、本発明によれば、予測または計測された予備電源の残量に応じて、停電の旨の出力間隔または出力内容の少なくとも一方が変更される。したがって、例えば、予備電源の残量が少なくなった場合に、停電の旨の出力間隔を延ばしたり、音声出力と表示出力の一方を省略することができ、消費電力を一層低減できるので、停電が長期に渡るような場合であっても、予備電源の容量を増やすことなく対応することができる。
【００６１】
また、本発明によれば、通常電源が停電したと判断された後の経過時間に基づいて、予備電源の残量が予測される。したがって、停電が長時間に渡るような場合には、停電の旨の出力間隔を延ばしたり、音声出力と表示出力の一方を省略することができ、消費電力を一層低減できる。
【００６２】
また、本発明によれば、予備電源の残量が直接的に計測される。したがって、予備電源の残量が少なくなったような場合には、停電の旨の出力間隔を延ばしたり、音声出力と表示出力の一方を省略することができ、消費電力を一層低減できる。
【図面の簡単な説明】
【図１】本発明の実施の形態１に係る防災受信機の要部構成を示すブロック図である。
【図２】図１の防災受信機の正面図である。
【図３】実施の形態１に係る停電報知処理のフローチャートである。
【図４】音声出力および表示出力のタイミングチャートである。
【図５】音声出力および表示出力の他の例を示すタイミングチャートである。
【図６】音声出力および表示出力の他の例を示すタイミングチャートである。
【図７】本発明の実施の形態２に係る防災受信機の要部構成を示すブロック図である。
【図８】実施の形態２に係る停電報知処理のフローチャートである。
【図９】実施の形態３に係る停電報知処理のフローチャートである。
【符号の説明】
１００  防災受信機
１１０  伝送制御部
１２０  操作部
１３０  表示部
１４０  記憶部
１５０  主音響部
１６０  地区音響制御部
１７０  防排煙制御部
１８０  電源部
１８１  予備電源
１８２  切替器
１９０  制御部
１９１  停電監視部
１９２  停電報知部
１９３  予備電源監視部
２００  防災端末
３００  非常ベル
４００  レリーズ
【図１】
0004721584.tif 000002
【図２】
0004721584.tif 000003
【図３】
0004721584.tif 000004
【図４】
0004721584.tif 000005
【図５】
0004721584.tif 000006
【図６】
0004721584.tif 000007
【図７】
0004721584.tif 000008
【図８】
0004721584.tif 000009
【図９】
0004721584.tif 000010